(57)【特許請求の範囲】
【請求項１】
電話回線と接続する電話通信回路と、該電話通信回路に設けられ電話通信を行うスピーチ回路と、該スピーチ回路に設けられ、ベース電流を第１のコンデンサでバイパスすることにより、回線を閉結するための直流電流と信号を構成する交流電流とに分離し、前記直流電流を直流用抵抗に、前記交流電流を交流用抵抗に分配して前記直流電流と前記交流電流とを所定値に設定する直流／交流インピーダンス調整回路とを備えた通信装置において、前記第１のコンデンサと並列に接続され前記電話通信回路に電圧が印加されたときに第１のコンデンサと共に充電電流が流れる第３のコンデンサと、前記第3のコンデンサに直列に接続され一定電圧を保持する定電圧ダイオードとを備え、前記第１のコンデンサの充電電流による前記スピーチ回路を流れる電流と前記第３のコンデンサの充電電流により流れる電流とが互いに補い合って前記電話通信回路の直流電流が常に前記所定値となるように制御する制御手段とを具備する通信装置。
【請求項２】
電話回線と接続する電話通信回路と、該電話通信回路に設けられ電話通信を行うスピーチ回路と、該電話通信回路に設けられ、ベース電流を第１のコンデンサでバイパスすることにより、回線を閉結するための直流電流と信号を構成する交流電流とに分離し、前記直流電流を直流用抵抗に、前記交流電流を交流用抵抗に分配して前記直流電流と前記交流電流とを所定値に設定する直流／交流インピーダンス調整回路とを備えた通信装置において、前記直流／交流インピーダンス調整回路の前記直流電流が前記所定値に達するまで閉状態とするスイッチと、前記スイッチの短絡時の電流を制限する抵抗とを備え、前記スイッチを前記電話通信回路の直流電流が常に前記所定値となるように開閉制御する制御手段とを具備する通信装置。
【請求項３】
電話回線と接続する電話通信回路と、該電話通信回路に設けられ電話通信を行うスピーチ回路と、該電話通信回路に設けられ、ベース電流を第１のコンデンサでバイパスすることにより、回線を閉結するための直流電流と信号を構成する交流電流とに分離し、前記直流電流を直流用抵抗に、前記交流電流を交流用抵抗に分配して前記直流電流と前記交流電流とを所定値に設定する直流／交流インピーダンス調整回路とを備えた通信装置において、前記第１のコンデンサと直列かつ前記交流用抵抗と並列に設けたスイッチを備え、前記スイッチにより前記第１のコンデンサを直接充電することにより前記電話通信回路の直流電流が常に前記所定値となるように制御する制御手段とを具備する通信装置。
【請求項４】
電話回線と接続するファクシミリ回線制御回路と、このファクシミリ回線制御回路に設けられた発呼回路と、前記ファクシミリ回線制御回路にリレーによって接続された電話通信回路と、該電話通信回路に設けられ電話通信を行うスピーチ回路と、該電話通信回路に設けられ、ベース電流を第１のコンデンサでバイパスすることにより、回線を閉結するための直流電流と信号を構成する交流電流とに分離し、前記直流電流を直流用抵抗に、前記交流電流を交流用抵抗に分配して前記直流電流と前記交流電流とを所定値に設定する直流／交流インピーダンス調整回路とを備えた通信装置において、前記ファクシミリ回線制御回路の電源から前記電話通信回路へ電流を供給するための切り替えスイッチを備え、前記電話通信回路が前記リレーの閉状態により電話回線と接続されていないときに前記切り替えスイッチにより前記ファクシミリ回線制御回路の電源に接続して前記第１のコンデンサを充電する制御手段を具備する通信装置。
【発明の詳細な説明】
【０００１】
【産業上の利用分野】
本発明は、電話回線に接続された電話通信回路やファクシミリ回線制御回路にスパイクノイズが発生するのを防止する通信装置に関する。
【０００２】
【従来の技術】
ファクシミリ装置には音声を伝達する電話通信回路と画像を伝達するファクシミリ回線制御回路があり、互いに切り替えられるようになって電話回線に接続されている。図９はこのような回路の一例を示す図である。電話回線の端子Ｌ１，Ｌ２にファクシミリ回線制御回路１が接続し、ファクシミリ回線制御回路１にＣＭＬリレー２を介して電話通信回路３が接続している。ファクシミリ回線制御回路１は、トランス４によりモデムへ接続され、回路内にダイヤル発信をする発呼回路５が設けられている。電話通信回路３には、電話回線に電話機を接続するとき、接続の極性をどちらにとっても電源の正負が逆にならないようにするダイオードブリッジ６と、ハンドセット７により回路を開閉するフックスイッチ８、電話通信をするスピーチ回路９が設けられている。
【０００３】
スピーチ回路９には直流／交流インピーダンス調整回路１０が設けられている。電話通信回路３には規定によって直流的に見た抵抗と交流的に見た抵抗をそれぞれ所定値に設定する回路を接続するよう定められており、このため設けられている。図１０は直流／交流インピーダンス調整回路の一例を示す。トランジスタＴｒにはコレクタとベース間に交流用抵抗Ｒ１、エミッタとグランドの間には直流用抵抗Ｒ２、ベースとグランドの間にバイパスコンデンサＣ１が設けられている。バイパスコンデンサＣ１が充電され、ベース電圧が所定の値になるとトランジスタＴｒにエミッタ電流が流れ、直流抵抗がＲ２となる。しかるにバイパスコンデンサＣ１が所定のベース電圧まで充電しない間はトランジスタＴｒは直流的にはオープンとなった状態で直流抵抗は無限大となっている。なお、交流抵抗は充電にかかわらずＲ１となる。このように直流抵抗が所定値Ｒ２になるにはバイパスコンデンサＣ１が充電された後となる。
【０００４】
【発明が解決しようとする課題】
図１１は図９における端子Ｌ１と端子Ｌ２間の電圧の変化を示す図である。まず電話通信回路３のハンドセット７を外すと直流／交流インピーダンス調整回路１０では、バイパスコンデンサＣ１の充電につれて直流抵抗値が下がり規定のＲ２になる。このためＯＦＦ  ＨＯＯＫすると、端子Ｌ１，Ｌ２間の電圧は図のようになだらかに下り、直流抵抗（Ｒ２と電話通信回路３内でこれに直列、並列に接続する抵抗との合成値）の電位となる。ＣＭＬリレー２がＯＮすると、電話通信回路３は断となり、ファクシミリ回線制御回路１のトランス４の抵抗分となる。この場合ＣＭＬリレー２と発呼回路５のスイッチは最初は連動してＯＮとなる。ここで発呼回路５の発呼をした後、ＣＭＬリレー２をＯＦＦすると、電話通信回路３では端子Ｌ１，Ｌ２間の電圧がかかり、フックスイッチ８はＯＮとなっていても、バイパスコンデンサＣ１が充電されていないため、回路はオープンの状態になり、スパイクノイズが発生する。
【０００５】
本発明は上述の問題点に鑑みてなされたもので、リレーＯＦＦなどの過渡期においてもスパイクノイズの発生を防止する通信装置を提供することを目的とする。
【０００６】
【課題を解決するための手段】
上記目的を達成するため、請求項１の発明では、電話回線と接続する電話通信回路と、該電話通信回路に設けられ電話通信を行うスピーチ回路と、該スピーチ回路に設けられ、ベース電流を第１のコンデンサでバイパスすることにより、回線を閉結するための直流電流と信号を構成する交流電流とに分離し、前記直流電流を直流用抵抗に、前記交流電流を交流用抵抗に分配して前記直流電流と前記交流電流とを所定値に設定する直流／交流インピーダンス調整回路とを備えた通信装置において、前記第１のコンデンサと並列に接続され前記電話通信回路に電圧が印加されたときに第１のコンデンサと共に充電電流が流れる第３のコンデンサと、前記第3のコンデンサに直列に接続され一定電圧を保持する定電圧ダイオードとを備え、前記第１のコンデンサの充電電流による前記スピーチ回路を流れる電流と前記第３のコンデンサの充電電流により流れる電流とが互いに補い合って前記電話通信回路の直流電流が常に前記所定値となるように制御する制御手段とを具備したものである。
【０００７】
また、請求項２の発明では、電話回線と接続する電話通信回路と、該電話通信回路に設けられ電話通信を行うスピーチ回路と、該電話通信回路に設けられ、ベース電流を第１のコンデンサでバイパスすることにより、回線を閉結するための直流電流と信号を構成する交流電流とに分離し、前記直流電流を直流用抵抗に、前記交流電流を交流用抵抗に分配して前記直流電流と前記交流電流とを所定値に設定する直流／交流インピーダンス調整回路とを備えた通信装置において、前記直流／交流インピーダンス調整回路の前記直流電流が前記所定値に達するまで閉状態とするスイッチと、前記スイッチの短絡時の電流を制限する抵抗とを備え、前記スイッチを前記電話通信回路の直流電流が常に前記所定値となるように開閉制御する制御手段とを具備したものである。
【０００８】
また、請求項３の発明では、電話回線と接続する電話通信回路と、該電話通信回路に設けられ電話通信を行うスピーチ回路と、該電話通信回路に設けられ、ベース電流を第１のコンデンサでバイパスすることにより、回線を閉結するための直流電流と信号を構成する交流電流とに分離し、前記直流電流を直流用抵抗に、前記交流電流を交流用抵抗に分配して前記直流電流と前記交流電流とを所定値に設定する直流／交流インピーダンス調整回路とを備えた通信装置において、前記第１のコンデンサと直列かつ前記交流用抵抗と並列に設けたスイッチを備え、前記スイッチにより前記第１のコンデンサを直接充電することにより前記電話通信回路の直流電流が常に前記所定値となるように制御する制御手段とを具備したものである。
【０００９】
また、請求項４の発明では、電話回線と接続するファクシミリ回線制御回路と、このファクシミリ回線制御回路に設けられた発呼回路と、前記ファクシミリ回線制御回路にリレーによって接続された電話通信回路と、該電話通信回路に設けられ電話通信を行うスピーチ回路と、該電話通信回路に設けられ、ベース電流を第１のコンデンサでバイパスすることにより、回線を閉結するための直流電流と信号を構成する交流電流とに分離し、前記直流電流を直流用抵抗に、前記交流電流を交流用抵抗に分配して前記直流電流と前記交流電流とを所定値に設定する直流／交流インピーダンス調整回路とを備えた通信装置において、前記ファクシミリ回線制御回路の電源から前記電話通信回路へ電流を供給するための切り替えスイッチを備え、前記電話通信回路が前記リレーの閉状態により電話回線と接続されていないときに前記切り替えスイッチにより前記ファクシミリ回線制御回路の電源に接続して前記第１のコンデンサを充電する制御手段を具備したものである。
【００１２】
【作用】
電話回線と接続する電話通信回路に設けられたトランジスタ回路はベース電流をコンデンサでバイパスすることにより直流用抵抗と交流用抵抗を別々に設定できるようになっているが、コンデンサが充電されないと、ベース電流が流れず、トランジスタは動作しないため、直流的には開放状態となっている。コンデンサが充電されるにつれてベース電流が流れ、トランジスタが動作し、直流用抵抗に電流が流れるようになり、回路の直流抵抗が設定値となる。このため電話通信回路にリレーやスイッチにより直流電圧が印加されるような過渡期に、直流電流を急速に定格値に近づけることにより、スパイクノイズの発生を防止できる。
ひとつには、第３のコンデンサを第１のコンデンサと並列に設けたもので、過渡期においても電話通信回路に直流が流れるのでスパイクノイズの発生が防止される。なお、第１のコンデンサにも直流電流が流れ込み、充電が進むとトランジスタ回路が動作し、直流用抵抗が設定され、定常状態になる。定電圧ダイオードは交流的に短絡するのを防止する。
また、電話通信回路の高圧側と第１のコンデンサを短絡するスイッチを設け、過渡期にこのスイッチを閉とし、直流電流を第１のコンデンサに流入させることにより、スパイクノイズの発生を防止する。第１のコンデンサが充電後はスイッチを開放する。
また、発呼回路が発呼動作中は、電話通信回路に通信装置の電源より直流電源を供給する。これにより第１のコンデンサを充電させておき、電話通信回路に切り替わったとき、直流抵抗が設定値となっているようにし、直流電流が流れスパイクノイズの発生を防止する。
【００１８】
【実施例】
以下、本発明の実施例について図面を参照して説明する。
【００１９】
図１は第１実施例の構成を示すブロック図である。図９において使用した符号と同一の符号は同一の意味を表す。以降の図においても同様とする。本実施例はファクシミリ装置の通信関係の回路を示す。電話回線の端子Ｌ１，Ｌ２にファクシミリ回線制御回路１が接続し、ファクシミリ回線制御回路１にＣＭＬリレー２を介して電話通信回路３が接続している。ＣＭＬリレー２は切り替え時、３接点が接続しており、開放されることなく切り替えられる。ファクシミリ回線制御回路１はトランス４を介してファクシミリ装置のモデムへ接続され、またダイヤル信号を発呼する発呼回路５が設けられている。
【００２０】
電話通信回路３には、電話通信回路に電話機を接続したとき電源の正負が逆にならないようにするダイオードブリッジ６、ハンドセット７を掛けたり外したりすると動作するフックスイッチ８、ハンドセット７と接続され音声通信を行うスピーチ回路９、および本実施例で設けられた第３のコンデンサＣ３と、定電圧ダイオード１１が設けられている。スピーチ回路９には直流／交流インピーダンス調整回路１０が設けられている。直流／交流インピーダンス調整回路１０の基本は図１０に示す回路であるが、図６に示す回路も用いられる。図１０と同一符号は同一の意味を表し、Ｒ１は交流用抵抗、Ｒ２は直流用抵抗、Ｃ１は第１のコンデンサである。
【００２１】
第１のコンデンサＣ１が充電し、Ｂ点の電圧が所定の値となると、トランジスタＴｒ１とＴｒ２のベースにはダイオードＤにより０．６〜０．７Ｖ電圧降下した電圧がかかり動作する。Ｔｒ１とＴｒ２はカレントミラーを構成しているのでＴｒ１のコレクタ電流が流れるとＴｒ２のコレクタ電流も流れ、この電流がトランジスタＴｒ３のベース電流となり、トランジスタＴｒ３が動作して直流抵抗Ｒ２に電流が流れる。なお、交流抵抗Ｒ１には第１のコンデンサＣ１を通して交流電流が流れる。このように第１のコンデンサＣ１の充電開始前はトランジスタＴｒ３が動作しないので直流的には開放された状態となるが充電後は直流抵抗はＲ２となる。交流抵抗は充電に関係なくＲ１である。
【００２２】
図７は図６の直流／交流インピーダンス調整回路１０における電流の状態を示す。（Ａ）は第１のコンデンサＣ１の充電電流が時間的に変化する状態を示す。（Ｂ）は直流抵抗の時間変化を示し、第１のコンデンサＣ１の充電につれてインピーダンスが下り、充電が終了すると直流抵抗Ｒ２となる。（Ｃ）は直流抵抗Ｒ２を通して流れる直流電流の時間変化を示す。スピーチ回路９を流れる直流電流は、このＲ２を流れる電流となる。
【００２３】
次に第３のコンデンサＣ３とこれに直列に接続された定電圧ダイオード１１について説明する。定電圧ダイオード１１は交流に対して短絡とならず一定電圧を保持するために設けられている。第３のコンデンサＣ３は第１のコンデンサＣ１と並列に接続され、電話通信回路３に電圧が印加されたとき、共に充電電流が流れる。
【００２４】
図８は電話通信回路３の電流の時間変化を示す図で、（Ａ）は第１のコンデンサＣ１の充電電流、（Ｂ）はこの充電電流によるスピーチ回路９を流れる直流電流を示し、図７の（Ａ），（Ｃ）と同じである。（Ｃ）は、第３のコンデンサＣ３の充電電流を示す。（Ｄ）は第３のコンデンサＣ３の充電電流が（Ｂ）に示すスピーチ回路９の電流と同時に流れる場合で、本実施例の電流の状態を示す。（Ｂ）に示す電流波形と（Ｃ）に示す電流波形が互いに補う形となり、この合成波形を第１のコンデンサＣ１と第３のコンデンサＣ３の容量を調整することによりほぼ一定の電流とすることができる。このように電話通信回路３に端子Ｌ１，Ｌ２の電圧が印加されても直流電流が流れるので直流的に開放状態とならずスパイクノイズの発生を防止できる。
【００２５】
次に第２実施例を説明する。
図２は第２実施例の回路を示す。なお、本実施例は図１と同様ファクシミリ回線制御回路１にＣＭＬリレー２を介して電話通信回路３が接続されているが、同一の部分は省略して示す。本実施例は、第１実施例の第３のコンデンサＣ３と定電圧ダイオード１１を短絡スイッチ１２と抵抗１３に代えたものである。抵抗１３は短絡時の電流を制限すると共に第１のコンデンサＣ１の充電電流を確保するために設けられている。短絡スイッチ１２はトランジスタなどの電子的スイッチが用いられ、電話通信回路３に電圧印加時より第１のコンデンサＣ１が充電され、直流電流が定格値となるときまで閉成するように動作する。これにより、電話通信回路３へ電圧が印加されても直流電流が流れるためスパイクノイズなどの発生を防止できる。なお、短絡スイッチ１２の制御は、電話通信回路３の直流電流をほぼ一定値とするように行う。
【００２６】
このように、第１実施例と第２実施例との動作は同じように電話回線に短絡させるものであり、コンデンサと定電圧ダイオードとを組合わせたものは、短絡スイッチ１２を用いたものと比べ、値段的に安く構成することができる。逆に、値段的には多少高くなっても短絡スイッチ１２を用いる構成は、ソフト制御により細かな制御を行なうことができる。
【００２７】
次に第３実施例を説明する。
図３は第３実施例の回路を示す。本実施例も第２実施例と同様ファクシミリ回線制御回路１とＣＭＬリレー２は存在するが、これを省略して表示する。本実施例は、第１のコンデンサＣ１に直列にスイッチ１４を設け、電話通信回路３へ電圧印加時、充電を急速に行うようにしている。スイッチ１４としてはフォトカプラを用いたが、トランジスタなどの電子的スイッチでもよい。本実施例では、交流抵抗Ｒ１と並列に設けたスイッチ１４により第１のコンデンサＣ１を直接充電するので充電電流が交流抵抗Ｒ１を介して流れる第１，第２実施例よりも大きく、充電が迅速に終了すること、およびこの充電電流が直流として電話通信回路３を流れることにより電圧印加時、直流的に絶縁状態となることは防止され、スパイクノイズなどの発生を防止する。
【００２８】
第１〜第３実施例は電話通信回路３をＣＭＬリレー２を介してファクシミリ回線制御回路１に接続した場合を説明したが、電話通信回路３を直接電話回線に接続した場合も同様に成立する。
【００２９】
次に第４実施例を説明する。
図４は本実施例の構成を示すブロック図である。本実施例は図１に示す第１実施例の第３のコンデンサＣ３と定電圧ダイオード１１に代えて切り替えスイッチ１６を設けて、ファクシミリ装置の電源１５より電話通信回路３へ電流を供給するようにしたものである。ＣＭＬリレー２が閉となり電話通信回路３が電話回線と接続されていないときに、切り替えスイッチ１６により電源１５に接続して第１のコンデンサＣ１を充電しておく。これによりＣＭＬリレー２によって電話通信回路３に電圧が印加されても、第１のコンデンサＣ１は充電状態となっているため、直流電流は導通するのでスパイクノイズの発生は防止できる。本実施例は切り替えスイッチ１６を設けるだけなので小スペースで実現でき、また配線を行うだけなので低コストで実現できる。
【００３０】
次に第５実施例を説明する。
本実施例は第１実施例に対して、ファクシミリ回線制御回路１にも直流／交流インピーダンス調整回路１７を設け、第１実施例と同様にコンデンサと定電圧ダイオードにより、電圧印加時の直流電流の導通を保持するようにしたものである。第５実施例の回路は主に直流電流を流せないトランスを採用する場合の回路であり、このトランスは第１実施例等に採用されるトランスに比べ値段が安く、部品点数を考慮しても全体の回路の値段を安くすることができるものである。このような回路において、図１に対してトランス４への回路には直流遮断用の第５のコンデンサＣ５を入れ、トランス４と並列にダイオードブリッジ１８と直流／交流インピーダンス調整回路１７を設ける。直流／交流インピーダンス調整回路１７は図１０と同じ回路で、バイパスコンデンサは第２のコンデンサＣ２とし、交流抵抗をＲ３，直流抵抗をＲ４，トランジスタＴｒ４とする。また、第４のコンデンサＣ４と定電圧ダイオード１９を直列にし、第２のコンデンサＣ２と並列に接続する。動作は、第１実施例で説明した場合と同様で、ファクシミリ回線制御回路１へ電圧印加時、第４のコンデンサへの充電電流により直流を流すようにしてスパイクノイズの発生を防止する。
【００３１】
第５実施例はファクシミリ回線制御回路１に第１実施例を適用した場合を示したが、同様にして第２実施例、第３実施例、第４実施例も適用することができる。この適用に当たっては、ファクシミリ回線制御回路１と電話通信回路３とで、第５実施例に示すように同じ促進手段を設けてもよいが、それぞれ異なる促進手段を設けてもよい。
【００３２】
【発明の効果】
以上の説明から明らかなように、本発明は、直流用抵抗と交流用抵抗をベース電流をコンデンサでバイパスすることにより別々に設定できるようにしたトランジスタ回路に電圧印加時、直流電流を流す促進手段を設けることによりスパイクノイズの発生を防止することができる。
【図面の簡単な説明】
【図１】第１実施例の構成を示すブロック図
【図２】第２実施例の構成を示すブロック図
【図３】第３実施例の構成を示すブロック図
【図４】第４実施例の構成を示すブロック図
【図５】第５実施例の構成を示すブロック図
【図６】直流／交流インピーダンス調整回路を示す図
【図７】図６の回路における電流の状態を示す図
【図８】第１実施例の電流の変化を示す図
【図９】従来の回路の一例を示す図
【図１０】直流／交流インピーダンス調整回路の他の例を示す図
【図１１】図９に示す回路でスパイクノイズの発生を示す図
【符号の説明】
１  ファクシミリ回線制御回路
２  ＣＭＬリレー
３  電話通信回路
４  トランス
５  発呼回路
６，１８  ダイオードブリッジ
７  ハンドセット
８  フックスイッチ
９  スピーチ回路
１０，１７  直流／交流インピーダンス調整回路
１１，１９  定電圧ダイオード
１２  短絡スイッチ
１３  抵抗
１４  スイッチ
１５  電源
１６  切り替えスイッチ
Ｃ１  第１のコンデンサ
Ｃ２  第２のコンデンサ
Ｃ３  第３のコンデンサ
Ｃ４  第４のコンデンサ
【図１】
0003580862.tif 000002
【図２】
0003580862.tif 000003
【図３】
0003580862.tif 000004
【図４】
0003580862.tif 000005
【図５】
0003580862.tif 000006
【図６】
0003580862.tif 000007
【図７】
0003580862.tif 000008
【図８】
0003580862.tif 000009
【図９】
0003580862.tif 000010
【図１０】
0003580862.tif 000011
【図１１】
0003580862.tif 000012